(57)【要約】【課題】立上部及水平部からなる係合凸部は破損し易い。【解決手段】尻側重合部１ａの上面に形成した突出部５の上面を止め板９の受承面６とすると共に、該受承面６より瓦本体１を貫通する挿通孔８を形成し、下方重合部３の頭側で水返し１３の外側に係合段部１１を設ける。かかる耐風瓦を千鳥状に葺設し、下方の耐風瓦における突出部５上に止め板９を、該止め板９の一部が上方の耐風瓦における係合段部１１の上方に位置する様に配置し、止め板９及び挿通孔８を貫通した固定具を屋根下地に打ち込んで、耐風瓦に対し止め板９を固定する。突出部５は瓦本体１に単に突出しているだけで破損する危険性を極めて少なく、且つ葺設時に設置する止め板９に、葺設状態において浮き上がろうとする耐風瓦の頭側の係合段部１１の上面が当接して、葺設状態の耐風瓦の頭側が浮き上がらない。【選択図】　　　　図２
2004116065.tif 000002
【特許請求の範囲】
【請求項１】
瓦本体の一側部位を上方重合部とすると共に、他側方より下方重合部を一体突設し、尻側重合部の上面に突出部を形成し、該突出部の上面を止め板の受承面とすると共に、該受承面より瓦本体を貫通する釘孔を形成し、下方重合部の頭側で水返しの外側に係合段部を設け、千鳥状に葺設すると、上方の瓦の係合段部の側方に下方の瓦の突出部が位置すると共に、上記係合段部の上面を上記受承面に対し同一高さ又は下方に位置させる様に突出部及び係合段部の位置を設定したことを特徴とする耐風瓦。
【請求項２】
請求項１記載の耐風瓦を使用した瓦屋根の台風構造であって、
上記耐風瓦を千鳥状に葺設し、斜め下方の耐風瓦における突出部上に板状の止め板を、該止め板の一部が上方の耐風瓦における係合段部の上面に位置する様に配置し、止め板及び釘孔を貫通した固定具を屋根下地に打ち込んで、耐風瓦に対し止め板を固定したことを特徴とする瓦屋根の耐風構造。
【発明の詳細な説明】
【０００１】
【発明の属する技術分野】
本発明は、耐風性能を向上させる様にした耐風瓦及び該耐風瓦を使用した瓦屋根の耐風構造に関する。
【０００２】
【従来の技術】
従来の耐風瓦としては、瓦本体の尻側水返し上面の中央付近に、一側から差込自在な差込空間を有する鉤状の係合凸部を設けると共に、差込部の水返しの外側に係合段部を設け、千鳥葺き合わせ時に、係合凸部の差込空間に係合段部が配置される様にした防災瓦が見受けられる（例えば、特許文献１参照）。
【０００３】
これは、多数の耐風瓦を千鳥葺きに葺設した時に、下段の耐風瓦の尻上に上段の耐風瓦の頭側が部分的に重合すると共に、各段における隣接した耐風瓦は、桟の下方切欠部に差込部が差込まれて重合し、横方向に半分ずれた上下段の耐風瓦のにおける下段の耐風瓦の係合凸部に対して上段の耐風瓦の係合段部を横から差し込んで、両者を係合状態として上下位置関係を規制する様にしている。
【０００４】
【特許文献１】
特開２００２−８８９８０号公報（特許請求の範囲、第３頁、図５）
【０００５】
【発明が解決しようとする課題】
しかし、上記従来技術にあっては、係合凸部は立上部及び水平部を連続形成した鉤状に形成されているため、運搬時に衝突したり、葺設時に踏んで水平部に外力、特に上方からの外力が作用すると破損し易いなど、解決せねばならない課題があった。
【０００６】
【課題を解決するための手段】
本発明は、上記従来技術に基づく、立上部及び水平部からなる係合凸部は破損し易い課題に鑑み、尻側重合部の上面に突出部を形成し、該突出部の上面を止め板の受承面とすると共に、該受承面より瓦本体を貫通する釘孔を形成し、下方重合部の頭側で水返しの外側に係合段部を設け、葺設状態で、係合段部の側方に突出部が位置すると共に、上記係合段部の上面を上記受承面に対し同一高さ又は下方に位置させる様に突出部及び係合段部を配置した耐風瓦を千鳥状に葺設し、斜め下方の耐風瓦における突出部上に止め板を、該止め板の一部が上方の耐風瓦における係合段部の上面に位置する様に配置し、止め板及び釘孔を貫通した固定具を屋根下地に打ち込んで、耐風瓦に対し止め板を固定することによって、突出部は瓦本体に単に突出しているだけで破損する危険性を極めて少なくし、且つ葺設時に設置する止め板により、葺設状態において浮き上がろうとする耐風瓦の頭側を、その耐風瓦の係合段部の上面が、その下方の耐風瓦に固定した止め板に当接することで浮き上がらない様にして、上記課題を解決する。
【０００７】
【発明の実施の形態】
以下、本発明の一実施例を図面に基づいて説明する。
図１は、本発明に係る耐風瓦の平面斜視図であり、図２は、葺設状態における耐風構造を示す斜視図であり、図３は、図２のＡーＡ断面図である。
図２に示す様に、千鳥状に葺設する耐風瓦にあっては、平面視略矩形状の瓦本体１の一側方に上方重合部２を設けると共に、他側方より下方重合部３を突設し、瓦本体１の頭側に垂れ４を一体形成している。
【０００８】
瓦本体１の尻側重合部１ａの上面中央の下方重合部３寄りに円錐台状の突出部５を形成し、該突出部５の上面を、後述する止め板９の受承面６とし、該受承面６の中央より瓦本体１の下面まで貫通する、釘、ネジ等の固定具７の挿通孔８を形成している。
上記突出部５の受承面６上に円板状の止め板９を配置すると共に、該止め板９に形成した中央孔１０、上記挿通孔８内を貫通状態の固定具７を屋根下地に打ち込んで、突出部５に対し止め板９を固定する様にしている。
【０００９】
下方重合部３の頭側且つ外側に止め板９の下方に位置する係合段部１１を形成し、該係合段部１１は、下方重合部３の頭側且つ外側の角部に凹部１２を形成することで、該凹部１２の下方外側部位に形成している。
又、下方重合部３における水返し１３における頭側部位を凹部１２に沿う様に屈曲させている。
【００１０】
次に本発明に係る耐風瓦の作用について説明する。
葺設した耐風瓦の下方重合部３上に、葺設する耐風瓦の上方重合部２を重ねる様に桁行き方向に葺設すると共に、葺設状態の耐風瓦の尻側重合部１ａ位の上方に、葺設する耐風瓦の頭側を重ねた後、下方の耐風瓦における突出部５の受承面６上に止め板９を、その一部が上方の耐風瓦の係合段部１１の上面の上方に位置する様に配置すると共に、該止め板９の中央孔１０、瓦本体１の挿通孔８内を通した固定具７を屋根下地に打ち込んで、突出部５に対し止め板９を固定し、下方の耐風瓦の尻側に固定具７を介して上方の耐風瓦の頭側を固定する。
【００１１】
【発明の効果】
要するに本発明は、尻側重合部１ａの上面に突出部５を形成し、該突出部５の上面を止め板９の受承面６とすると共に、該受承面６より瓦本体１を貫通する釘孔８を形成し、下方重合部３の頭側で水返し１３の外側に係合段部１１を設け、千鳥状に葺設すると、上方の瓦の係合段部１１の側方に下方の瓦の突出部５が位置すると共に、上記係合段部１１の上面を上記受承面６に対し同一高さ又は下方に位置させる様に突出部５及び係合段部１１の位置を設定したので、突出部５における受承面６上に止め板９を配置し、且つ該止め板９の一部を上記係合段部１１の上面の上方に位置させる様にすれば、葺設状態における上下斜め方向に位置する耐風瓦が係合状態となり、強風等に対する耐風機能を発現し耐風瓦の浮き、ズレを防止することが出来る。
而も、突出部５は瓦本体１に単に一体突設しただけのものであって、偏平形状にしても上記条件を達成すれば良いため、葺設時に踏んでも破損せず、突出部５の強度の向上を図ることが出来る。
【００１２】
耐風瓦を千鳥状に葺設し、斜め下方の耐風瓦における突出部５上に板状の止め板９を、該止め板９の一部が上方の耐風瓦における係合段部１１の上面に位置する様に配置し、止め板９及び釘孔８を貫通した固定具７を屋根下地に打ち込んで、耐風瓦に対し止め板９を固定したので、耐風機能を具備した瓦屋根を構築することが出来る等その実用的効果甚だ大である。
【図面の簡単な説明】
【図１】本発明に係る耐風瓦の平面斜視図である。
【図２】葺設状態における耐風構造を示す斜視図である。
【図３】図２のＡーＡ断面図である。
【符号の説明】
１　瓦本体
１ａ　尻側重合部
２　上方重合部
３　下方重合部
５　突出部
６　受承面
８　釘孔
９　止め板
１１　係合段部
１３　水返し
【図１】
2004116065.tif 000003
【図２】
2004116065.tif 000004
【図３】
2004116065.tif 000005